(57)【要約】  本開示の一態様に係るユーザ端末は、第１セルにおいてクロスキャリアスケジューリング用の第１下り制御チャネルをモニタする受信部と、前記第１下り制御チャネル内の下り制御情報によって第２セルの下り共有チャネルがスケジュールされ、前記第２セルが前記第１セルと異なる場合、送信制御指示（ＴＣＩ）フィールドが前記下り制御情報内に存在するか否かを示すＴＣＩフィールド情報が有効にセットされると想定する制御部と、を有する。本開示の一態様によれば、ユーザ端末がクロスキャリアスケジューリングを設定された場合にＱＣＬに関する情報を適切に決定できる。
2020170450.tif 000002
【特許請求の範囲】
【請求項１】
第１セルにおいてクロスキャリアスケジューリング用の第１下り制御チャネルをモニタする受信部と、
前記第１下り制御チャネル内の下り制御情報によって第２セルの下り共有チャネルがスケジュールされ、前記第２セルが前記第１セルと異なる場合、送信制御指示（ＴＣＩ）フィールドが前記下り制御情報内に存在するか否かを示すＴＣＩフィールド情報が有効にセットされると想定する制御部と、を有するユーザ端末。
【請求項２】
前記第２セルが前記第１セルと異なり、且つ前記第１下り制御チャネルに関する１以上のＴＣＩ状態が擬似コロケーション（ＱＣＬ）タイプＤパラメータの情報を含む場合、前記制御部は、前記第１下り制御チャネルの受信と前記下り共有チャネルとの間のオフセットがオフセット閾値以上であると想定する、請求項１に記載のユーザ端末。
【請求項３】
前記第２セルが前記第１セルと同じである場合、前記制御部は、前記下り共有チャネルの復調参照信号ポートが、前記第１セルの特定コントロールリソースセットの下り制御チャネル擬似コロケーション（ＱＣＬ）指示に用いられたＴＣＩ状態内の参照信号と擬似コロケートされると想定する、請求項１又は請求項２に記載のユーザ端末。
【請求項４】
前記第２セルが前記第１セルと同じである、又は同じバンド内の異なるセルである場合、前記制御部は、前記下り共有チャネルの復調参照信号ポートが、前記第１セルの特定コントロールリソースセットの下り制御チャネル擬似コロケーション（ＱＣＬ）指示に用いられたＱＣＬタイプＤパラメータに関するＴＣＩ状態内の参照信号と擬似コロケートされると想定する、請求項１又は請求項２に記載のユーザ端末。
【請求項５】
前記第２セルが前記第１セルと同じである場合、前記制御部は、前記下り共有チャネルの復調参照信号ポートが、前記下り制御チャネルの擬似コロケーション（ＱＣＬ）指示に用いられたＴＣＩ状態内の参照信号と擬似コロケートされると想定する、請求項１又は請求項２に記載のユーザ端末。
【請求項６】
第１セルにおいてクロスキャリアスケジューリング用の第１下り制御チャネルをモニタするステップと、
前記第１下り制御チャネル内の下り制御情報によって第２セルの下り共有チャネルがスケジュールされ、前記第２セルが前記第１セルと異なる場合、送信制御指示（ＴＣＩ）フィールドが前記下り制御情報内に存在するか否かを示すＴＣＩフィールド情報が有効にセットされると想定するステップと、を有する、ユーザ端末の無線通信方法。
【発明の詳細な説明】
【技術分野】
【０００１】
本開示は、次世代移動通信システムにおけるユーザ端末及び無線通信方法に関する。
【背景技術】
【０００２】
Universal  Mobile  Telecommunications  System（ＵＭＴＳ）ネットワークにおいて、更なる高速データレート、低遅延などを目的としてLong  Term  Evolution（ＬＴＥ）が仕様化された（非特許文献１）。また、ＬＴＥ（Third  Generation  Partnership  Project（３ＧＰＰ）  Release（Ｒｅｌ．）８、９）の更なる大容量、高度化などを目的として、ＬＴＥ−Ａｄｖａｎｃｅｄ（３ＧＰＰ  Ｒｅｌ．１０−１４）が仕様化された。【０００３】
ＬＴＥの後継システム（例えば、5th  generation  mobile  communication  system（５Ｇ）、５Ｇ＋（plus）、New  Radio（ＮＲ）、３ＧＰＰ  Ｒｅｌ．１５以降などともいう）も検討されている。【０００４】
既存のＬＴＥシステム（例えば、ＬＴＥ  Ｒｅｌ．８−１４）において、ユーザ端末（User  Equipment（ＵＥ））は、下り制御情報（Downlink  Control  Information（ＤＣＩ））に基づいて、上り共有チャネル（Physical  Uplink  Shared  Channel（ＰＵＳＣＨ））の送信を制御する。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（例えば、ＮＲ）において、ＵＥは、信号及びチャネルの少なくとも一方（信号／チャネルと表現する）の疑似コロケーション（Quasi-Co-Location（ＱＣＬ））に関する情報に基づいて、当該信号／チャネルの受信処理（例えば、デマッピング、復調、復号、受信ビーム形成など）、送信処理（例えば、マッピング、変調、符号化、プリコーディング、送信ビーム形成など）を制御することが検討されている。【０００７】
しかしながら、ＵＥがクロスキャリアスケジューリングを設定された場合に、ＱＣＬに関する情報を決定する動作が明らかでない。適切にＱＣＬを判定できなければ、周波数利用効率の低下など、システム性能の劣化を招くおそれがある。【０００８】
そこで、本開示は、クロスキャリアスケジューリングを設定された場合にＱＣＬに関する情報を適切に決定するユーザ端末及び無線通信方法を提供することを目的の１つとする。
【課題を解決するための手段】
【０００９】
本開示の一態様に係るユーザ端末は、第１セルにおいてクロスキャリアスケジューリング用の第１下り制御チャネルをモニタする受信部と、前記第１下り制御チャネル内の下り制御情報によって第２セルの下り共有チャネルがスケジュールされ、前記第２セルが前記第１セルと異なる場合、送信制御指示（ＴＣＩ）フィールドが前記下り制御情報内に存在するか否かを示すＴＣＩフィールド情報が有効にセットされると想定する制御部と、を有する。
【発明の効果】
【００１０】
本開示の一態様によれば、ユーザ端末がクロスキャリアスケジューリングを設定された場合にＱＣＬに関する情報を適切に決定できる。
【図面の簡単な説明】
【００１１】
【図１】図１Ａ及び図１Ｂは、ＰＤＳＣＨのＤＭＲＳポートのＱＣＬ想定の一例を示す図である。
【図２】図２は、スケジュールドセルがスケジューリングセルと異なる場合のＰＤＳＣＨのＤＭＲＳポートのＱＣＬ想定の一例を示す図である。
【図３】図３は、スケジュールドセルがスケジューリングセルと同じである場合のＰＤＳＣＨのＤＭＲＳポートのＱＣＬ想定の一例を示す図である。
【図４】図４は、一実施形態に係る無線通信システムの概略構成の一例を示す図である。
【図５】図５は、一実施形態に係る基地局の構成の一例を示す図である。
【図６】図６は、一実施形態に係るユーザ端末の構成の一例を示す図である。
【図７】図７は、一実施形態に係る基地局及びユーザ端末のハードウェア構成の一例を示す図である。
【発明を実施するための形態】
【００１２】
（ＴＣＩ、空間関係、ＱＣＬ）
ＮＲでは、送信設定指示状態（Transmission  Configuration  Indication  state（ＴＣＩ状態））に基づいて、信号及びチャネルの少なくとも一方（信号／チャネルと表現する）のＵＥにおける受信処理（例えば、受信、デマッピング、復調、復号の少なくとも１つ）、送信処理（例えば、送信、マッピング、プリコーディング、変調、符号化の少なくとも１つ）を制御することが検討されている。
【００１３】
ＴＣＩ状態は下りリンクの信号／チャネルに適用されるものを表してもよい。上りリンクの信号／チャネルに適用されるＴＣＩ状態に相当するものは、空間関係（spatial  relation）と表現されてもよい。
【００１４】
ＴＣＩ状態とは、信号／チャネルの疑似コロケーション（Quasi-Co-Location（ＱＣＬ））に関する情報であり、空間受信パラメータ、空間関係情報（Spatial  Relation  Information（ＳＲＩ））などと呼ばれてもよい。ＴＣＩ状態は、チャネルごと又は信号ごとにＵＥに設定されてもよい。
【００１５】
ＱＣＬとは、信号／チャネルの統計的性質を示す指標である。例えば、ある信号／チャネルと他の信号／チャネルがＱＣＬの関係である場合、これらの異なる複数の信号／チャネル間において、ドップラーシフト（Doppler  shift）、ドップラースプレッド（Doppler  spread）、平均遅延（average  delay）、遅延スプレッド（delay  spread）、空間パラメータ（spatial  parameter）（例えば、空間受信パラメータ（spatial  Rx  parameter））の少なくとも１つが同一である（これらの少なくとも１つに関してＱＣＬである）と仮定できることを意味してもよい。
【００１６】
なお、空間受信パラメータは、ＵＥの受信ビーム（例えば、受信アナログビーム）に対応してもよく、空間的ＱＣＬに基づいてビームが特定されてもよい。本開示におけるＱＣＬ（又はＱＣＬの少なくとも１つの要素）は、ｓＱＣＬ（spatial  QCL）で読み替えられてもよい。
【００１７】
ＱＣＬは、複数のタイプ（ＱＣＬタイプ）が規定されてもよい。例えば、同一であると仮定できるパラメータ（又はパラメータセット）が異なる４つのＱＣＬタイプＡ−Ｄが設けられてもよく、以下に当該パラメータについて示す：
・ＱＣＬタイプＡ：ドップラーシフト、ドップラースプレッド、平均遅延及び遅延スプレッド、
・ＱＣＬタイプＢ：ドップラーシフト及びドップラースプレッド、
・ＱＣＬタイプＣ：ドップラーシフト及び平均遅延、
・ＱＣＬタイプＤ：空間受信パラメータ。
【００１８】
所定の制御リソースセット（Control  Resource  Set（ＣＯＲＥＳＥＴ））、チャネル又は参照信号が、別のＣＯＲＥＳＥＴ、チャネル又は参照信号と特定のＱＣＬ（例えば、ＱＣＬタイプＤ）の関係にあるとＵＥが想定することは、ＱＣＬ想定（QCL  assumption）と呼ばれてもよい。
【００１９】
ＴＣＩ状態は、ＵＥに対して指示（設定）された受信ビーム（空間ドメイン受信フィルタ）に関する情報（例えば、ＤＬ−ＲＳ、ＱＣＬタイプ、ＤＬ−ＲＳが送信されるセルなど）であってもよい。ＱＣＬ想定は、関連付けられた信号（例えば、ＰＲＡＣＨ）の送信又は受信に基づき、ＵＥによって想定された受信ビーム（空間ドメイン受信フィルタ）に関する情報（例えば、ＤＬ−ＲＳ、ＱＣＬタイプ、ＤＬ−ＲＳが送信されるセルなど）であってもよい。
【００２０】
ＵＥは、信号／チャネルのＴＣＩ状態又はＱＣＬ想定に基づいて、当該信号／チャネルの送信ビーム（Ｔｘビーム）及び受信ビーム（Ｒｘビーム）の少なくとも１つを決定してもよい。
【００２１】
ＴＣＩ状態は、例えば、対象となるチャネル（又は当該チャネル用の参照信号（Reference  Signal（ＲＳ）））と、別の信号（例えば、別の下り参照信号（Downlink  Reference  Signal（ＤＬ−ＲＳ）））とのＱＣＬに関する情報であってもよい。ＴＣＩ状態は、上位レイヤシグナリング、物理レイヤシグナリング又はこれらの組み合わせによって設定（指示）されてもよい。
【００２２】
本開示において、上位レイヤシグナリングは、例えば、Radio  Resource  Control（ＲＲＣ）シグナリング、Medium  Access  Control（ＭＡＣ）シグナリング、ブロードキャスト情報などのいずれか、又はこれらの組み合わせであってもよい。
【００２３】
ＭＡＣシグナリングは、例えば、ＭＡＣ制御要素（MAC  Control  Element（ＭＡＣ  ＣＥ））、ＭＡＣ  Protocol  Data  Unit（ＰＤＵ）などを用いてもよい。ブロードキャスト情報は、例えば、マスタ情報ブロック（Master  Information  Block（ＭＩＢ））、システム情報ブロック（System  Information  Block（ＳＩＢ））、最低限のシステム情報（Remaining  Minimum  System  Information（ＲＭＳＩ））、その他のシステム情報（Other  System  Information（ＯＳＩ））などであってもよい。
【００２４】
物理レイヤシグナリングは、例えば、下り制御情報（Downlink  Control  Information（ＤＣＩ））であってもよい。
【００２５】
ＴＣＩ状態が設定（指定）されるチャネルは、例えば、下り共有チャネル（Physical  Downlink  Shared  Channel（ＰＤＳＣＨ））、下り制御チャネル（Physical  Downlink  Control  Channel（ＰＤＣＣＨ））、上り共有チャネル（Physical  Uplink  Shared  Channel（ＰＵＳＣＨ））、上り制御チャネル（Physical  Uplink  Control  Channel（ＰＵＣＣＨ））の少なくとも１つであってもよい。
【００２６】
また、当該チャネルとＱＣＬ関係となるＲＳ（ＤＬ−ＲＳ）は、例えば、同期信号ブロック（Synchronization  Signal  Block（ＳＳＢ））、チャネル状態情報参照信号（Channel  State  Information  Reference  Signal（ＣＳＩ−ＲＳ））、測定用参照信号（Sounding  Reference  Signal（ＳＲＳ））の少なくとも１つであってもよい。あるいはＤＬ−ＲＳは、トラッキング用に利用されるＣＳＩ−ＲＳ（Tracking  Reference  Signal（ＴＲＳ）とも呼ぶ）、又はＱＣＬ検出用に利用される参照信号（ＱＲＳとも呼ぶ）であってもよい。
【００２７】
ＳＳＢは、プライマリ同期信号（Primary  Synchronization  Signal（ＰＳＳ））、セカンダリ同期信号（Secondary  Synchronization  Signal（ＳＳＳ））及びブロードキャストチャネル（Physical  Broadcast  Channel（ＰＢＣＨ））の少なくとも１つを含む信号ブロックである。ＳＳＢは、ＳＳ／ＰＢＣＨブロックと呼ばれてもよい。
【００２８】
上位レイヤシグナリングによって設定されるＴＣＩ状態の情報要素（ＲＲＣの「TCI-state  IE」）は、１つ又は複数のＱＣＬ情報（「QCL-Info」）を含んでもよい。ＱＣＬ情報は、ＱＣＬ関係となるＤＬ−ＲＳに関する情報（ＤＬ−ＲＳ関係情報）及びＱＣＬタイプを示す情報（ＱＣＬタイプ情報）の少なくとも１つを含んでもよい。ＤＬ−ＲＳ関係情報は、ＤＬ−ＲＳのインデックス（例えば、ＳＳＢインデックス、ノンゼロパワーＣＳＩ−ＲＳ（Non-Zero-Power（ＮＺＰ）  CSI-RS）リソースＩＤ（Identifier））、ＲＳが位置するセルのインデックス、ＲＳが位置するBandwidth  Part（ＢＷＰ）のインデックスなどの情報を含んでもよい。
【００２９】
＜ＰＤＣＣＨのためのＴＣＩ状態＞
ＰＤＣＣＨ（又はＰＤＣＣＨに関連する復調用参照信号（DeModulation  Reference  Signal（ＤＭＲＳ））アンテナポート）及び所定のＤＬ−ＲＳとのＱＣＬに関する情報は、ＰＤＣＣＨのためのＴＣＩ状態などと呼ばれてもよい。
【００３０】
ＵＥは、ＵＥ固有のＰＤＣＣＨ（ＣＯＲＥＳＥＴ）のためのＴＣＩ状態を、上位レイヤシグナリングに基づいて判断してもよい。例えば、ＵＥに対して、ＣＯＲＥＳＥＴごとに、１つ又は複数（Ｋ個）のＴＣＩ状態がＲＲＣシグナリングによって設定されてもよい。
【００３１】
ＵＥは、各ＣＯＲＥＳＥＴに対し、ＲＲＣシグナリングによって設定された複数のＴＣＩ状態の１つを、ＭＡＣ  ＣＥによってアクティベートされてもよい。当該ＭＡＣ  ＣＥは、ＵＥ固有ＰＤＣＣＨ用ＴＣＩ状態指示ＭＡＣ  ＣＥ（TCI  State  Indication  for  UE-specific  PDCCH  MAC  CE）と呼ばれてもよい。ＵＥは、ＣＯＲＥＳＥＴのモニタを、当該ＣＯＲＥＳＥＴに対応するアクティブなＴＣＩ状態に基づいて実施してもよい。
【００３２】
＜ＰＤＳＣＨのためのＴＣＩ状態＞
ＰＤＳＣＨ（又はＰＤＳＣＨに関連するＤＭＲＳアンテナポート）及び所定のＤＬ−ＲＳとのＱＣＬに関する情報は、ＰＤＳＣＨのためのＴＣＩ状態などと呼ばれてもよい。
【００３３】
ＵＥは、ＰＤＳＣＨ用のＭ（Ｍ≧１）個のＴＣＩ状態（Ｍ個のＰＤＳＣＨ用のＱＣＬ情報）を、上位レイヤシグナリングによって通知（設定）されてもよい。なお、ＵＥに設定されるＴＣＩ状態の数Ｍは、ＵＥ能力（UE  capability）及びＱＣＬタイプの少なくとも１つによって制限されてもよい。
【００３４】
ＰＤＳＣＨのスケジューリングに用いられるＤＣＩは、当該ＰＤＳＣＨ用のＴＣＩ状態を示す所定のフィールド（例えば、ＴＣＩフィールド、ＴＣＩ状態フィールドなどと呼ばれてもよい）を含んでもよい。当該ＤＣＩは、１つのセルのＰＤＳＣＨのスケジューリングに用いられてもよく、例えば、ＤＬ  ＤＣＩ、ＤＬアサインメント、ＤＣＩフォーマット１＿０、ＤＣＩフォーマット１＿１などと呼ばれてもよい。
【００３５】
ＴＣＩフィールドがＤＣＩに含まれるか否かは、基地局からＵＥに通知される情報によって制御されてもよい。当該情報は、ＤＣＩ内にＴＣＩフィールドが存在するか否か（present  or  absent）を示すＴＣＩフィールド情報（TCI-PresentInDCI）であってもよい。ＴＣＩフィールド情報は、例えば、上位レイヤシグナリングによってＵＥに設定されてもよい。
【００３６】
８種類を超えるＴＣＩ状態がＵＥに設定される場合、ＭＡＣ  ＣＥを用いて、８種類以下のＴＣＩ状態がアクティベート（又は指定）されてもよい。当該ＭＡＣ  ＣＥは、ＵＥ固有ＰＤＳＣＨ用ＴＣＩ状態アクティベーション／ディアクティベーションＭＡＣ  ＣＥ（TCI  States  Activation/Deactivation  for  UE-specific  PDSCH  MAC  CE）と呼ばれてもよい。ＤＣＩ内のＴＣＩフィールドの値は、ＭＡＣ  ＣＥによりアクティベートされたＴＣＩ状態の一つを示してもよい。
【００３７】
ＤＬ  ＤＣＩの受信と当該ＤＣＩに対応するＰＤＳＣＨの受信との間の時間オフセットが所定の閾値以上である場合、ＵＥは、当該ＤＣＩによって指示されるＴＣＩ状態によって与えられる（１以上の）ＱＣＬタイプパラメータに関するＴＣＩ状態におけるＲＳと、サービングセルのＰＤＳＣＨのＤＭＲＳポートがＱＣＬである（”the  DM-RS  ports  of  PDSCH  of  a  serving  cell  are  quasi  co-located  with  the  RS(s)  in  the  TCI  state  with  respect  to  the  QCL  type  parameter(s)  given  by  the  indicated  TCI  state”）と想定してもよい。
【００３８】
ＤＬ  ＤＣＩの受信と当該ＤＣＩに対応するＰＤＳＣＨの受信との間の時間オフセットは、スケジューリングオフセットと呼ばれてもよい。
【００３９】
また、上記所定の閾値は、「Threshold」、「Threshold  for  offset  between  a  DCI  indicating  a  TCI  state  and  a  PDSCH  scheduled  by  the  DCI」、「Threshold-Sched-Offset」、スケジュールオフセット閾値、スケジューリングオフセット閾値、オフセット閾値などと呼ばれてもよい。
【００４０】
スケジューリングオフセット閾値は、ＵＥ能力に基づいてもよく、例えばＰＤＣＣＨの復号及びビーム切り替えにかかる遅延に基づいてもよい。当該スケジューリングオフセット閾値の情報は、基地局から上位レイヤシグナリングを用いて設定されてもよいし、ＵＥから基地局に送信されてもよい。
【００４１】
また、スケジューリングオフセットがスケジューリングオフセット閾値未満である場合、ＵＥは、サービングセルのアクティブＢＷＰ内で１つ以上のＣＯＲＥＳＥＴが当該ＵＥに設定される最新（直近、latest）のスロットにおける最小のＣＯＲＥＳＥＴ−ＩＤに対応するＰＤＣＣＨ  ＱＣＬ指示のために用いられる（１以上の）ＱＣＬパラメータに関するＴＣＩ状態におけるＲＳと、当該サービングセルのＰＤＳＣＨのＤＭＲＳポートがＱＣＬである（the  DM-RS  ports  of  PDSCH  of  a  serving  cell  are  quasi  co-located  with  the  RS(s)  in  the  TCI  state  with  respect  to  the  QCL  parameter(s)  used  for  PDCCH  quasi  co-location  indication  of  the  lowest  CORESET-ID  in  the  latest  slot  in  which  one  or  more  CORESETs  within  the  active  BWP  of  the  serving  cell  are  configured  for  the  UE）と想定してもよい。
【００４２】
例えば、ＵＥは、上記ＰＤＳＣＨのＤＭＲＳポートが、上記最小のＣＯＲＥＳＥＴ−ＩＤに対応するＣＯＲＥＳＥＴについてアクティベートされたＴＣＩ状態に基づくＤＬ−ＲＳとＱＣＬであると想定してもよい。最新のスロットは、例えば、上記ＰＤＳＣＨをスケジュールするＤＣＩを受信するスロットであってもよい。
【００４３】
なお、ＣＯＲＥＳＥＴ−ＩＤは、ＲＲＣ情報要素「ControlResourceSet」によって設定されるＩＤ（ＣＯＲＥＳＥＴの識別のためのＩＤ）であってもよい。
【００４４】
ＰＤＳＣＨをスケジュールするＣＯＲＥＳＥＴに対してＴＣＩフィールド情報が設定されない、又はＰＤＳＣＨがＤＣＩフォーマット１＿０によってスケジュールされ、且つスケジューリングオフセットがスケジューリングオフセット閾値以上である場合、ＵＥは、ＰＤＳＣＨ用のＴＣＩ状態又はＱＣＬ想定が、ＰＤＣＣＨ送信に用いられたＣＯＲＥＳＥＴに適用されたＴＣＩ状態又はＱＣＬ想定と同一であると想定してもよい。
【００４５】
図１Ａでは、スケジューリングオフセットがスケジューリングオフセット閾値以上である。したがって、ＵＥは、ＰＤＳＣＨのＤＭＲＳポートが、対応するＤＣＩによって指示されるＴＣＩ状態によって与えられるＱＣＬタイプパラメータに関するＴＣＩ状態におけるＲＳと、ＱＣＬであると想定してもよい。
【００４６】
図１Ｂでは、スケジューリングオフセットがスケジューリングオフセット閾値より小さい。したがって、ＵＥは、ＰＤＳＣＨのＤＭＲＳポートが、最新のスロットにおける最小のＣＯＲＥＳＥＴ−ＩＤに対応するＰＤＣＣＨ用ＴＣＩ状態におけるＲＳ（例えば、ＰＤＣＣＨ用ＤＭＲＳ）と、ＱＣＬであると想定してもよい。
【００４７】
＜ＴＣＩ状態におけるＱＣＬタイプＡのＲＳとＱＣＬタイプＤのＲＳ＞
Ｒｅｌ．１５において、ＰＤＣＣＨ及びＰＤＳＣＨの少なくとも１つのためのＴＣＩ状態として、ＱＣＬタイプＡのＲＳとＱＣＬタイプＤのＲＳの両方、又はＱＣＬタイプＡのＲＳのみが設定される。
【００４８】
ＱＣＬタイプＡのＲＳとしてＴＲＳが設定される場合、ＴＲＳは、ＰＤＣＣＨ又はＰＤＳＣＨのＤＭＲＳと異なり、長時間にわたって周期的に同じＴＲＳが送信されることが想定される。ＵＥは、ＴＲＳを測定し、平均遅延、遅延スプレッドなどを計算することができる。ＰＤＣＣＨ又はＰＤＳＣＨのＤＭＲＳのＴＣＩ状態に、ＱＣＬタイプＡのＲＳとしてＴＲＳを設定されたＵＥは、ＰＤＣＣＨ又はＰＤＳＣＨのＤＭＲＳと当該ＴＲＳとの間においてＱＣＬタイプＡのパラメータ（平均遅延、遅延スプレッドなど）が同じであると想定できるので、ＴＲＳの測定結果から、ＰＤＣＣＨ又はＰＤＳＣＨのＤＭＲＳのＱＣＬタイプＡのパラメータ（平均遅延、遅延スプレッドなど）を求めることができる。ＵＥは、ＰＤＣＣＨ及びＰＤＳＣＨの少なくとも１つのチャネル推定を行う際に、ＴＲＳの測定結果を用いて、より精度の高いチャネル推定を行うことができる。
【００４９】
ＱＣＬタイプＤのＲＳを設定されたＵＥは、ＱＣＬタイプＤのＲＳを用いて、ＵＥ受信ビーム（空間ドメイン受信フィルタ、ＵＥ空間ドメイン受信フィルタ）を決定することができ、ＣＯＲＥＳＥＴ０（CORESET  zero）のサーチスペース０（search  space  zero）のモニタリングオケージョン（タイプ０−ＰＤＣＣＨモニタリングオケージョン）を決定できる。
【００５０】
ＰＤＣＣＨ及びＰＤＳＣＨの少なくとも１つのためのＴＣＩ状態は、ＲＳと、当該ＲＳを設定されるＵＥのサービングセルと、を示してもよい。ＱＣＬタイプがタイプＣ又はタイプＤと設定された場合のみ、当該ＲＳは、ＴＣＩ状態を設定されたセル以外のサービングセルに位置してもよい。よって、キャリアアグリゲーション（ＣＡ）において、セカンダリセル（ＳＣｅｌｌ）のＴＣＩ状態として設定されるＱＣＬタイプＡのＲＳは、当該ＳＣｅｌｌのＴＲＳであってもよい。ＳＣｅｌｌのＰＤＣＣＨ及びＰＤＳＣＨの少なくとも１つのＴＣＩ状態のＱＣＬタイプＡのＲＳをＵＥに設定するために、ＳＣｅｌｌにおいてＴＲＳが送信されてもよい。
【００５１】
ＰＤＣＣＨのＤＭＲＳに対し、ＵＥは、ＴＣＩ状態が次のＱＣＬタイプのいずれかを指示すると期待してもよい。
・上位レイヤパラメータtrs-Info（ＴＲＳ情報）を設定されたＮＺＰ−ＣＳＩ−ＲＳリソースセット内のＣＳＩ−ＲＳリソースを有するＱＣＬタイプＡと、利用可能であれば、同じＣＳＩ−ＲＳリソースを有するＱＣＬタイプＤ
・上位レイヤパラメータtrs-Infoを設定されたＮＺＰ−ＣＳＩ−ＲＳリソースセット内のＣＳＩ−ＲＳリソースを有するＱＣＬタイプＡと、利用可能であれば、上位レイヤパラメータrepetition（繰り返し）を設定されたＮＺＰ−ＣＳＩ−ＲＳリソースセット内のＣＳＩ−ＲＳリソースを有するＱＣＬタイプＤ
・上位レイヤパラメータtrs-Infoも上位レイヤパラメータrepetitionも設定されないＮＺＰ−ＣＳＩ−ＲＳリソースセット内のＣＳＩ−ＲＳリソースを有するＱＣＬタイプＡと、利用可能であれば、同じＣＳＩ−ＲＳリソースを有するＱＣＬタイプＤ
【００５２】
ＮＺＰ−ＣＳＩ−ＲＳリソースセットに設定されるtrs-Infoは、当該ＮＺＰ−ＣＳＩ−ＲＳリソースセット内の全てのＮＺＰ−ＣＳＩ−ＲＳリソースに対するアンテナポートが同一であることを示してもよい。ＮＺＰ−ＣＳＩ−ＲＳリソースセットにrepetitionが設定される場合、当該ＮＺＰ−ＣＳＩ−ＲＳリソースセット内のＮＺＰ−ＣＳＩ−ＲＳリソースが、全てのシンボルにおいて、同一のＤＬ空間ドメイン送信フィルタ（基地局空間ドメイン送信フィルタ、基地局送信ビーム）と同一のポート数とを用いて送信されてもよい。
【００５３】
ＰＤＳＣＨのＤＭＲＳに対するＴＣＩ状態も、ＰＤＣＣＨのＤＭＲＳに対するＴＣＩ状態と同様である。
【００５４】
（クロスキャリアスケジューリング）
ＵＥはサービングセルに対してクロスキャリアスケジューリング設定情報（例えば、CrossCarrierSchedulingConfig）を設定されてもよい。クロスキャリアスケジューリング設定情報を設定され、ＰＤＳＣＨをスケジュールされるセルは、スケジュールド（scheduled）セル、スケジュールドＣＣ、などと呼ばれてもよい。当該ＰＤＳＣＨをスケジュールするＰＤＣＣＨ（ＤＣＩ）が送信されるセルは、スケジューリング（scheduling）セル、スケジューリングＣＣ、などと呼ばれてもよい。
【００５５】
サービングセルに対するクロスキャリアスケジューリング設定情報は、スケジューリングセルに関するスケジューリングセル情報（schedulingCellInfo）を含んでもよい。スケジューリングセルが当該サービングセルと同じである場合（セルフスケジューリング）のスケジューリングセル情報（own）は、スケジューリングＤＣＩにキャリア指示フィールド（carrier  indicator  field（ＣＩＦ））が存在するか否かを示すＣＩＦ存在情報（cif-Presence）を含んでもよい。スケジューリングセルが当該サービングセルと異なる場合のスケジューリングセル情報（other）は、どのセルがＤＬ割り当て及びＵＬグラントを通知するか（スケジューリングセル）を示すスケジューリングセルＩＤ（schedulingCellId）と、当該サービングセルに利用可能なグラント又はアサインメントを示すために、スケジューリングセルにおいて用いられる（スケジューリングセルのＤＣＩにおいて、当該サービングセルをスケジュールドセルとして指示するための）ＣＩＦ値（cif-InSchedulingCell、例えば１〜７）と、を示してもよい。ＣＩＦ存在情報が真にセットされた場合、スケジューリングセルに対するグラント又はアサインメントを指示するＣＩＦ値は０であってもよい。
【００５６】
ＵＥがサービングセルに対してクロスキャリアスケジューリング設定情報を設定された場合、ＤＣＩ内のＣＩＦは、クロスキャリアスケジューリング設定情報によって指示された値に対応してもよい。
【００５７】
サービングセルの、ＵＥがＵＥ個別サーチスペース（ＵＳＳ）においてＰＤＣＣＨをモニタするアクティブＤＬ  ＢＷＰにおいて、ＵＥがＣＩＦを設定される場合、ＵＥは、ＣＩＦを有するＰＤＣＣＨ候補をモニタしてもよい。ＣＯＲＥＳＥＴに関連付けられたサーチスペースに対し、ＣＩＦ値に対応するサービングセルのアクティブＤＬ  ＢＷＰに対するスロット内のサーチスペースセットのＰＤＣＣＨ候補に対応するＣＣＥインデックスが与えられる。
【００５８】
クロスキャリアスケジューリングにおいて、スケジューリングを行うＰＤＣＣＨのセルがスケジュールされるＰＤＳＣＨのセルと異なる場合、当該ＰＤＳＣＨのＤＭＲＳポートが、ＱＣＬタイプＤに関して当該ＰＤＣＣＨのＴＣＩ状態のＲＳとＱＣＬであると想定することは難しい。特に、バンド間（inter-band）ＣＡが正常に動作しないおそれがある。
【００５９】
ＵＥが、クロスキャリアスケジューリング用のサーチスペースセットに関連付けられたＣＯＲＥＳＥＴを設定された場合、ＵＥは、当該ＣＯＲＥＳＥＴに対し、ＴＣＩフィールド情報（tci-PresentInDci）が有効（'enabled'）にセットされると想定し、更に当該サーチスペースセットによってスケジュールされるサービングセルに対して設定された１以上のＴＣＩ状態が、ＱＣＬタイプＤパラメータを示す情報（'QCL-TypeD'）を含む場合、ＵＥは、スケジューリングオフセットがスケジューリング閾値以上であると想定してもよい。サービングセルに対するＴＣＩ状態がＱＣＬタイプＤパラメータを示す情報を含む場合、当該サービングセルの周波数がfrequency  range  2（ＦＲ２）内であってもよい。ＦＲ２は、６ＧＨｚより高い周波数であってもよいし、２４ＧＨｚより高い周波数であってもよい。
【００６０】
しかしながら、スケジューリングセルがスケジュールドセルと同じである場合であっても、上記のスケジューリングオフセットの制約が適用されると、ＰＤＳＣＨのスケジューリングが制限され、周波数利用効率が低下するおそれがある。例えば、サブキャリア間隔（ＳＣＳ）が１２０ｋＨｚである場合、スケジューリングオフセット閾値は１４シンボル以上であるため、ＰＤＳＣＨは、対応するＰＤＣＣＨの次のスロット以降に制限される。
【００６１】
そこで、本発明者らは、クロスキャリアスケジューリングを設定されたＵＥがＱＣＬに関する情報を決定する動作を着想した。
【００６２】
以下、本開示に係る実施形態について、図面を参照して詳細に説明する。各実施形態に係る無線通信方法は、それぞれ単独で適用されてもよいし、組み合わせて適用されてもよい。
【００６３】
ＴＣＩ状態は、ＴＣＩ状態又はＱＣＬ想定、ＱＣＬ想定、空間ドメイン受信フィルタ、ＵＥ空間ドメイン受信フィルタ、空間ドメインフィルタ、ＵＥ受信ビーム、ＤＬ受信ビーム、ＤＬ−ＲＳなどと読み替えられてもよい。ＱＣＬタイプＤパラメータに関するＴＣＩ状態内のＲＳ、ＱＣＬタイプＤのＲＳ、ＱＣＬタイプＤに関連付けられたＤＬ−ＲＳ、ＱＣＬタイプＤを有するＤＬ−ＲＳ、ＤＬ−ＲＳのソース、ＳＳＢ、ＣＳＩ−ＲＳ、は互いに読み替えられてもよい。ＱＣＬパラメータ、ＱＣＬタイプパラメータ、は互いに読み替えられてもよい。
【００６４】
本開示において、ＡがＢとＱＣＬであること、ＡがＢと疑似コロケートされる（quasi  co-located  with、ＱＣＬされる）こと、は互いに読み替えられてもよい。ＰＤＣＣＨ  ＱＣＬ指示のために用いられる（１以上の）ＱＣＬパラメータに関するＴＣＩ状態におけるＲＳは、ＰＤＣＣＨ  ＱＣＬ指示に用いられたＴＣＩ状態におけるＲＳ、ＰＤＣＣＨのためのＴＣＩ状態内のＲＳ、などと読み替えられてもよい。
【００６５】
本開示において、想定する（assume）、期待する（expect）、みなす（consider）、は互いに読み替えられてもよい。
【００６６】
（無線通信方法）
＜実施形態１＞
ＴＣＩフィールド情報（tci-PresentInDci）が有効（enabled）にセットされることと、スケジューリングオフセットがスケジューリング閾値以上であることと、の少なくとも１つが、スケジューリングセルがスケジュールセルと異なる場合のみに適用されてもよい。
【００６７】
スケジューリングセルは、スケジューリングＣＣ、ＰＤＣＣＨのセル、スケジューリングＰＤＣＣＨのセル、第１セル、などと読み替えられてもよい。スケジュールドセルは、スケジュールドＣＣ、ＰＤＳＣＨのセル、スケジュールドＰＤＳＣＨのセル、第２セル、などと読み替えられてもよい。
【００６８】
例えば、図２に示すように、ＵＥが、クロスキャリアスケジューリング用のサーチスペースセットに関連付けられたＣＯＲＥＳＥＴを設定され、且つスケジューリングセルがスケジュールドセルと異なる（スケジューリングＰＤＣＣＨのサービングセルＩＤがスケジュールドＰＤＳＣＨのサービングセルＩＤと異なる）場合、ＵＥは、当該ＣＯＲＥＳＥＴに対し、ＴＣＩフィールド情報が有効にセットされると想定してもよい。この場合において、当該サーチスペースセットによってスケジュールされるサービングセルに対して設定された１以上のＴＣＩ状態が、ＱＣＬタイプＤパラメータを示す情報（'QCL-TypeD'）を含む場合、ＵＥは、スケジューリングオフセットがスケジューリング閾値以上であると想定してもよい。
【００６９】
ＵＥがクロスキャリアスケジューリング用のサーチスペースセットに関連付けられたＣＯＲＥＳＥＴを設定されることは、ＵＥがクロスキャリアスケジューリング用のＰＤＣＣＨをモニタすること、ＵＥがクロスキャリアスケジューリングを設定されること、ＵＥがクロスキャリアスケジューリング設定情報（CrossCarrierSchedulingConfig）を設定されること、ＵＥが上位レイヤシグナリングによってＣＩＦを設定されること、ＵＥがＣＩＦを含むＤＣＩ（ＤＣＩフォーマット１＿１）をモニタすること、などと読み替えられてもよい。
【００７０】
スケジュールドセルがスケジューリングセルと異なることは、スケジュールドＰＤＳＣＨのサービングセルＩＤ（インデックス）がスケジューリングＰＤＣＣＨのサービングセルＩＤと異なること、スケジュールドセルのサービングセルＩＤがスケジューリングセルのサービングセルＩＤと異なること、スケジュールドセルに対するクロスキャリアスケジューリング設定情報が、スケジューリングセルが別のサービングセルであることであること（other）を示すこと、ＰＤＳＣＨをスケジュールするＤＣＩフォーマット１＿１内のＣＩＦ値が１以上である（０でない）こと、などと読み替えられてもよい。
【００７１】
ＵＥがクロスキャリアスケジューリング用のサーチスペースセットに関連付けられたＣＯＲＥＳＥＴを設定され、且つスケジューリングセルがスケジュールセルと同じである場合、ＴＣＩフィールド情報が有効にセットされることと、スケジューリングオフセットがスケジューリング閾値以上であることと、の少なくとも１つが、適用されなくてもよい。
【００７２】
スケジュールドセルがスケジューリングセルと同じであることは、スケジュールドＰＤＳＣＨのサービングセルＩＤがスケジューリングＰＤＣＣＨのサービングセルＩＤと同じであること、スケジュールドセルのサービングセルＩＤがスケジューリングセルのサービングセルＩＤと同じであること、スケジュールドセルに対するクロスキャリアスケジューリング設定情報が、スケジューリングセルが当該サービングセルであること（own）を示すこと、ＰＤＳＣＨをスケジュールするＤＣＩフォーマット１＿１内のＣＩＦ値が０であること、ＰＤＳＣＨがＤＣＩフォーマット１＿０（ＣＩＦを含まない）によってスケジュールされること、などと読み替えられてもよい。
【００７３】
ＵＥは、次の実施形態１−１、１−２、１−３の少なくとも１つに従って動作してもよい。
【００７４】
《実施形態１−１》
ＵＥがクロスキャリアスケジューリング用のサーチスペースセットに関連付けられたＣＯＲＥＳＥＴを設定され、且つスケジューリングセルがスケジュールドセルと同じである場合、ＵＥは、クロスキャリアスケジューリングを設定されない場合と同様に動作してもよい。
【００７５】
例えば、図３に示すように、ＴＣＩフィールド情報が有効にセットされる場合と、ＲＲＣにおいてＴＣＩフィールド情報が設定されない場合との両方のケースにおいて、スケジューリングオフセットがスケジューリングオフセット閾値未満であり、且つスケジューリングＰＤＣＣＨのサービングセルインデックスがスケジュールドＰＤＣＣＨのサービングセルインデックスと同じである場合、ＵＥは、サービングセルのＰＤＳＣＨのＤＭＲＳポートが、当該サービングセルのアクティブＢＷＰ内の１以上のＣＯＲＥＳＥＴがＵＥによってモニタされる最新（latest）のスロット内の最小（最低、lowest）のＣＯＲＥＳＥＴ−ＩＤを有し且つモニタされるサーチスペースに関連付けられたＣＯＲＥＳＥＴ（特定ＣＯＲＥＳＥＴ）のＰＤＣＣＨのＱＣＬ指示のために用いられるＱＣＬパラメータに関するＴＣＩ状態内のＲＳとＱＣＬであると想定してもよい。
【００７６】
以上の実施形態１−１によれば、クロスキャリアスケジューリング用のＰＤＣＣＨによって同じセルのＰＤＳＣＨがスケジュールされる場合に、スケジューリングオフセットが制限されないため、スケジューリングオフセットがスケジューリング閾値未満であるＰＤＳＣＨのスケジューリングを行うことができるため、柔軟にスケジューリングを行うことができ、周波数利用効率を改善できる。
【００７７】
《実施形態１−２》
ＵＥがクロスキャリアスケジューリング用のサーチスペースセットに関連付けられたＣＯＲＥＳＥＴを設定され、更に、スケジュールドセルがスケジューリングセルと同じである場合、又はスケジュールドセルがスケジューリングセルと同じバンド内の異なるセルである場合の、ＵＥ動作は、クロスキャリアスケジューリングを設定されない場合の動作と同様であってもよい。
【００７８】
この場合、ＵＥは、サービングセルのＰＤＳＣＨ（スケジュールドＰＤＳＣＨ）のＤＭＲＳポートが、特定ＣＯＲＥＳＥＴのＰＤＣＣＨのＱＣＬ指示のために用いられるＱＣＬタイプＤ（又は少なくともＱＣＬタイプＤ）パラメータに関するＴＣＩ状態内のＲＳとＱＣＬであると想定してもよい。
【００７９】
スケジュールドセルがスケジューリングセルと同じバンド内の異なるセルである場合、ＵＥは、スケジュールドＰＤＳＣＨのＤＭＲＳポートがＱＣＬタイプＡに関して特定ＣＯＲＥＳＥＴのＰＤＣＣＨ用のＴＣＩ状態のＲＳとＱＣＬである（スケジュールドＰＤＳＣＨのＱＣＬタイプＡのＲＳが特定ＣＯＲＥＳＥＴのＰＤＣＣＨ用のＱＣＬタイプＡのＲＳと同じである）と想定しなくてもよいし、スケジュールドＰＤＳＣＨのＤＭＲＳポートがＱＣＬタイプＤパラメータに関して特定ＣＯＲＥＳＥＴのＰＤＣＣＨ用のＴＣＩ状態のＲＳとＱＣＬである（スケジュールドＰＤＳＣＨのＱＣＬタイプＤのＲＳが特定ＣＯＲＥＳＥＴのＰＤＣＣＨ用のＱＣＬタイプＤのＲＳと同じである）と想定してもよい。
【００８０】
スケジュールドセルがスケジューリングセルと同じバンド内の異なるセルである場合、ＵＥは、次のＱＣＬタイプＡ想定１〜３の１つを用いてもよい。
【００８１】
＜＜ＱＣＬタイプＡ想定１＞＞
ＵＥが、スケジュールドセルにおいてＴＲＳ、ＣＳＩ−ＲＳ、ＳＳＢの少なくとも１つのＤＬ−ＲＳを受信した場合、ＵＥは、スケジュールドセルのＰＤＳＣＨのＤＭＲＳポートが、ＱＣＬタイプＡパラメータに関して、受信されたＤＬ−ＲＳとＱＣＬであると想定してもよい。なお、スケジュールドセルのＰＤＳＣＨのＤＭＲＳポートが、ＱＣＬタイプＤパラメータに関して、受信されたＤＬ−ＲＳとＱＣＬでない場合がある。ＱＣＬタイプＡ想定１によれば、ＱＣＬタイプＡ想定２に比べて、ＵＥの負荷を抑えられる。
【００８２】
＜＜ＱＣＬタイプＡ想定２＞＞
ＵＥが、スケジュールドセルにおいてＴＲＳ、ＣＳＩ−ＲＳ、ＳＳＢの少なくとも１つのＤＬ−ＲＳを受信し、且つ受信されたＤＬ−ＲＳの中に、ＱＣＬタイプＤパラメータに関してスケジュールドセルのＰＤＳＣＨのＤＭＲＳポートとＱＣＬであるＲＳがある場合、ＵＥは、スケジュールドセルのＰＤＳＣＨのＤＭＲＳポートが、ＱＣＬタイプＡパラメータに関して当該ＲＳとＱＣＬであると想定してもよい。当該ＲＳが、ＱＣＬタイプＡパラメータ及びＱＣＬタイプＤパラメータの両方に関してスケジュールドセルのＰＤＳＣＨのＤＭＲＳポートとＱＣＬであるため、ＱＣＬタイプＡ想定１に比べて、ＰＤＳＣＨのチャネル推定精度を向上できる場合がある。
【００８３】
＜＜ＱＣＬタイプＡ想定３＞＞
ＵＥは、ＱＣＬタイプＡパラメータに関してスケジュールドセルのＰＤＳＣＨのＤＭＲＳポートとＱＣＬであるＲＳが設定されると想定しなくてもよい。ＱＣＬタイプＡ想定３によれば、ＱＣＬタイプＡ想定１及び２に比べて、ＵＥの負荷を抑えられる。
【００８４】
ＵＥは、バンド内（intra-band）ＣＡにおいてバンド内の全セルが同じビームを使用する（全セルにおけるＰＤＳＣＨのＤＭＲＳポートがＱＣＬタイプＤパラメータに関してＱＣＬである）と想定してもよい。ＵＥは、全ＣＣにおけるスケジュールされたＰＤＳＣＨのＤＭＲＳポートが、ＱＣＬタイプＤパラメータに関してスケジューリングＰＤＣＣＨとＱＣＬであると想定してもよい。よって、クロスキャリアスケジューリングを設定されたスケジュールドセルが、スケジューリングセルと同じである場合、又はクロスキャリアスケジューリングを設定されたスケジュールドセルが、スケジューリングセルと同じバンド内の異なるセルである場合、ＵＥは、スケジューリングＰＤＣＣＨのＴＣＩ状態（少なくともＱＣＬタイプＤのＲＳ）をスケジュールドＰＤＳＣＨに適用してもよい。
【００８５】
以上の実施形態１−２によれば、スケジュールドセルがスケジューリングセルと同じである場合、又はスケジュールドセルがスケジューリングセルと同じバンド内の異なるセルである場合に、スケジューリングオフセットが制限されないため、スケジューリングオフセットがスケジューリング閾値未満であるＰＤＳＣＨのスケジューリングを行うことができるため、柔軟にスケジューリングを行うことができ、周波数利用効率を改善できる。
【００８６】
《実施形態１−３》
ＵＥがクロスキャリアスケジューリング用のサーチスペースセットに関連付けられたＣＯＲＥＳＥＴを設定され、且つスケジュールドセルがスケジューリングセルと同じである場合の、ＵＥ動作は、クロスキャリアスケジューリングを設定されない場合の動作と同様であってもよい。
【００８７】
この場合、ＵＥは、サービングセルのＰＤＳＣＨ（スケジュールドＰＤＳＣＨ）のＤＭＲＳポートが、当該ＰＤＳＣＨをスケジュールしたＰＤＣＣＨのＱＣＬ指示のために用いられるＱＣＬタイプＤ（又は少なくともＱＣＬタイプＤ）パラメータに関するＴＣＩ状態内のＲＳとＱＣＬであると想定してもよい。
【００８８】
この場合、スケジュールドＰＤＳＣＨは、スケジューリングＰＤＣＣＨと同じ受信ビームによって受信されてもよい（スケジュールドＰＤＳＣＨのＤＭＲＳポートは、ＱＣＬタイプＤパラメータに関してスケジューリングＰＤＣＣＨとＱＣＬであってもよい）。特定ＣＯＲＥＳＥＴのＰＤＣＣＨのＴＣＩ状態を用いる場合に比べて、通信品質を向上させることができる。
【００８９】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【００９０】
図４は、一実施形態に係る無線通信システムの概略構成の一例を示す図である。無線通信システム１は、Third  Generation  Partnership  Project（３ＧＰＰ）によって仕様化されるLong  Term  Evolution（ＬＴＥ）、5th  generation  mobile  communication  system  New  Radio（５Ｇ  ＮＲ）などを用いて通信を実現するシステムであってもよい。
【００９１】
また、無線通信システム１は、複数のRadio  Access  Technology（ＲＡＴ）間のデュアルコネクティビティ（マルチＲＡＴデュアルコネクティビティ（Multi-RAT  Dual  Connectivity（ＭＲ−ＤＣ）））をサポートしてもよい。ＭＲ−ＤＣは、ＬＴＥ（Evolved  Universal  Terrestrial  Radio  Access（Ｅ−ＵＴＲＡ））とＮＲとのデュアルコネクティビティ（E-UTRA-NR  Dual  Connectivity（ＥＮ−ＤＣ））、ＮＲとＬＴＥとのデュアルコネクティビティ（NR-E-UTRA  Dual  Connectivity（ＮＥ−ＤＣ））などを含んでもよい。
【００９２】
ＥＮ−ＤＣでは、ＬＴＥ（Ｅ−ＵＴＲＡ）の基地局（ｅＮＢ）がマスタノード（Master  Node（ＭＮ））であり、ＮＲの基地局（ｇＮＢ）がセカンダリノード（Secondary  Node（ＳＮ））である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【００９３】
無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（NR-NR  Dual  Connectivity（ＮＮ−ＤＣ）））をサポートしてもよい。
【００９４】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【００９５】
ユーザ端末２０は、複数の基地局１０のうち、少なくとも１つに接続してもよい。ユーザ端末２０は、複数のコンポーネントキャリア（Component  Carrier（ＣＣ））を用いたキャリアアグリゲーション（Carrier  Aggregation（ＣＡ））及びデュアルコネクティビティ（ＤＣ）の少なくとも一方を利用してもよい。
【００９６】
各ＣＣは、第１の周波数帯（Frequency  Range  1（ＦＲ１））及び第２の周波数帯（Frequency  Range  2（ＦＲ２））の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【００９７】
また、ユーザ端末２０は、各ＣＣにおいて、時分割複信（Time  Division  Duplex（ＴＤＤ））及び周波数分割複信（Frequency  Division  Duplex（ＦＤＤ））の少なくとも１つを用いて通信を行ってもよい。
【００９８】
複数の基地局１０は、有線（例えば、Common  Public  Radio  Interface（ＣＰＲＩ）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はIntegrated  Access  Backhaul（ＩＡＢ）ドナー、中継局（リレー）に該当する基地局１２はＩＡＢノードと呼ばれてもよい。
【００９９】
基地局１０は、他の基地局１０を介して、又は直接コアネットワーク３０に接続されてもよい。コアネットワーク３０は、例えば、Evolved  Packet  Core（ＥＰＣ）、5G  Core  Network（５ＧＣＮ）、Next  Generation  Core（ＮＧＣ）などの少なくとも１つを含んでもよい。
【０１００】
ユーザ端末２０は、ＬＴＥ、ＬＴＥ−Ａ、５Ｇなどの通信方式の少なくとも１つに対応した端末であってもよい。
【０１０１】
無線通信システム１においては、直交周波数分割多重（Orthogonal  Frequency  Division  Multiplexing（ＯＦＤＭ））ベースの無線アクセス方式が利用されてもよい。例えば、下りリンク（Downlink（ＤＬ））及び上りリンク（Uplink（ＵＬ））の少なくとも一方において、Cyclic  Prefix  OFDM（ＣＰ−ＯＦＤＭ）、Discrete  Fourier  Transform  Spread  OFDM（ＤＦＴ−ｓ−ＯＦＤＭ）、Orthogonal  Frequency  Division  Multiple  Access（ＯＦＤＭＡ）、Single  Carrier  Frequency  Division  Multiple  Access（ＳＣ−ＦＤＭＡ）などが利用されてもよい。
【０１０２】
無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【０１０３】
無線通信システム１では、下りリンクチャネルとして、各ユーザ端末２０で共有される下り共有チャネル（Physical  Downlink  Shared  Channel（ＰＤＳＣＨ））、ブロードキャストチャネル（Physical  Broadcast  Channel（ＰＢＣＨ））、下り制御チャネル（Physical  Downlink  Control  Channel（ＰＤＣＣＨ））などが用いられてもよい。
【０１０４】
また、無線通信システム１では、上りリンクチャネルとして、各ユーザ端末２０で共有される上り共有チャネル（Physical  Uplink  Shared  Channel（ＰＵＳＣＨ））、上り制御チャネル（Physical  Uplink  Control  Channel（ＰＵＣＣＨ））、ランダムアクセスチャネル（Physical  Random  Access  Channel（ＰＲＡＣＨ））などが用いられてもよい。
【０１０５】
ＰＤＳＣＨによって、ユーザデータ、上位レイヤ制御情報、System  Information  Block（ＳＩＢ）などが伝送される。ＰＵＳＣＨによって、ユーザデータ、上位レイヤ制御情報などが伝送されてもよい。また、ＰＢＣＨによって、Master  Information  Block（ＭＩＢ）が伝送されてもよい。
【０１０６】
ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（Downlink  Control  Information（ＤＣＩ））を含んでもよい。
【０１０７】
なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【０１０８】
ＰＤＣＣＨの検出には、制御リソースセット（COntrol  REsource  SET（ＣＯＲＥＳＥＴ））及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【０１０９】
１つのサーチスペースは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【０１１０】
ＰＵＣＣＨによって、チャネル状態情報（Channel  State  Information（ＣＳＩ））、送達確認情報（例えば、Hybrid  Automatic  Repeat  reQuest  ACKnowledgement（ＨＡＲＱ−ＡＣＫ）、ＡＣＫ／ＮＡＣＫなどと呼ばれてもよい）及びスケジューリングリクエスト（Scheduling  Request（ＳＲ））の少なくとも１つを含む上り制御情報（Uplink  Control  Information（ＵＣＩ））が伝送されてもよい。ＰＲＡＣＨによって、セルとの接続確立のためのランダムアクセスプリアンブルが伝送されてもよい。
【０１１１】
なお、本開示において下りリンク、上りリンクなどは「リンク」を付けずに表現されてもよい。また、各種チャネルの先頭に「物理（Physical）」を付けずに表現されてもよい。
【０１１２】
無線通信システム１では、同期信号（Synchronization  Signal（ＳＳ））、下りリンク参照信号（Downlink  Reference  Signal（ＤＬ−ＲＳ））などが伝送されてもよい。無線通信システム１では、ＤＬ−ＲＳとして、セル固有参照信号（Cell-specific  Reference  Signal（ＣＲＳ））、チャネル状態情報参照信号（Channel  State  Information  Reference  Signal（ＣＳＩ−ＲＳ））、復調用参照信号（DeModulation  Reference  Signal（ＤＭＲＳ））、位置決定参照信号（Positioning  Reference  Signal（ＰＲＳ））、位相トラッキング参照信号（Phase  Tracking  Reference  Signal（ＰＴＲＳ））などが伝送されてもよい。
【０１１３】
同期信号は、例えば、プライマリ同期信号（Primary  Synchronization  Signal（ＰＳＳ））及びセカンダリ同期信号（Secondary  Synchronization  Signal（ＳＳＳ））の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、SS  Block（ＳＳＢ）などと呼ばれてもよい。なお、ＳＳ、ＳＳＢなども、参照信号と呼ばれてもよい。
【０１１４】
また、無線通信システム１では、上りリンク参照信号（Uplink  Reference  Signal（ＵＬ−ＲＳ））として、測定用参照信号（Sounding  Reference  Signal（ＳＲＳ））、復調用参照信号（ＤＭＲＳ）などが伝送されてもよい。なお、ＤＭＲＳはユーザ端末固有参照信号（UE-specific  Reference  Signal）と呼ばれてもよい。
【０１１５】
（基地局）
図５は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【０１１６】
なお、本例では、本実施の形態における特徴部分の機能ブロックを主に示しており、基地局１０は、無線通信に必要な他の機能ブロックも有すると想定されてもよい。以下で説明する各部の処理の一部は、省略されてもよい。
【０１１７】
制御部１１０は、基地局１０全体の制御を実施する。制御部１１０は、本開示に係る技術分野での共通認識に基づいて説明されるコントローラ、制御回路などから構成することができる。
【０１１８】
制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【０１１９】
送受信部１２０は、ベースバンド（baseband）部１２１、Radio  Frequency（ＲＦ）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【０１２０】
送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【０１２１】
送受信アンテナ１３０は、本開示に係る技術分野での共通認識に基づいて説明されるアンテナ、例えばアレイアンテナなどから構成することができる。
【０１２２】
送受信部１２０は、上述の下りリンクチャネル、同期信号、下りリンク参照信号などを送信してもよい。送受信部１２０は、上述の上りリンクチャネル、上りリンク参照信号などを受信してもよい。
【０１２３】
送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【０１２４】
送受信部１２０（送信処理部１２１１）は、例えば制御部１１０から取得したデータ、制御情報などに対して、Packet  Data  Convergence  Protocol（ＰＤＣＰ）レイヤの処理、Radio  Link  Control（ＲＬＣ）レイヤの処理（例えば、ＲＬＣ再送制御）、Medium  Access  Control（ＭＡＣ）レイヤの処理（例えば、ＨＡＲＱ再送制御）などを行い、送信するビット列を生成してもよい。
【０１２５】
送受信部１２０（送信処理部１２１１）は、送信するビット列に対して、チャネル符号化（誤り訂正符号化を含んでもよい）、変調、マッピング、フィルタ処理、離散フーリエ変換（Discrete  Fourier  Transform（ＤＦＴ））処理（必要に応じて）、逆高速フーリエ変換（Inverse  Fast  Fourier  Transform（ＩＦＦＴ））処理、プリコーディング、デジタル−アナログ変換などの送信処理を行い、ベースバンド信号を出力してもよい。
【０１２６】
送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０１２７】
一方、送受信部１２０（ＲＦ部１２２）は、送受信アンテナ１３０によって受信された無線周波数帯の信号に対して、増幅、フィルタ処理、ベースバンド信号への復調などを行ってもよい。
【０１２８】
送受信部１２０（受信処理部１２１２）は、取得されたベースバンド信号に対して、アナログ−デジタル変換、高速フーリエ変換（Fast  Fourier  Transform（ＦＦＴ））処理、逆離散フーリエ変換（Inverse  Discrete  Fourier  Transform（ＩＤＦＴ））処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１２９】
送受信部１２０（測定部１２３）は、受信した信号に関する測定を実施してもよい。例えば、測定部１２３は、受信した信号に基づいて、Radio  Resource  Management（ＲＲＭ）測定、Channel  State  Information（ＣＳＩ）測定などを行ってもよい。測定部１２３は、受信電力（例えば、Reference  Signal  Received  Power（ＲＳＲＰ））、受信品質（例えば、Reference  Signal  Received  Quality（ＲＳＲＱ）、Signal  to  Interference  plus  Noise  Ratio（ＳＩＮＲ）、Signal  to  Noise  Ratio（ＳＮＲ））、信号強度（例えば、Received  Signal  Strength  Indicator（ＲＳＳＩ））、伝搬路情報（例えば、ＣＳＩ）などについて測定してもよい。測定結果は、制御部１１０に出力されてもよい。
【０１３０】
伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０１３１】
なお、本開示における基地局１０の送信部及び受信部は、送受信部１２０、送受信アンテナ１３０及び伝送路インターフェース１４０の少なくとも１つによって構成されてもよい。
【０１３２】
また、送受信部１２０は、参照信号（例えば、ＤＬ−ＲＳ、ＳＳＢ、ＣＳＩ−ＲＳ、ＴＲＳ、ＰＤＣＣＨ  ＤＭＲＳ、ＰＤＳＣＨ  ＤＭＲＳなど）を送信してもよい。
【０１３３】
送受信部１２０は、第１セル（スケジューリングセル）においてクロスキャリアスケジューリング用の第１下り制御チャネル（ＰＤＣＣＨ）を送信してもよい。前記第１下り制御チャネル内の下り制御情報（ＤＣＩ）によって第２セル（スケジュールドセル）の下り共有チャネル（ＰＤＳＣＨ）がスケジュールされてもよい。制御部１１０は、前記第２セルが前記第１セルと異なる場合、送信制御指示（ＴＣＩ）フィールドが前記下り制御情報内に存在するか否かを示すＴＣＩフィールド情報（例えば、tci-PresentInDci）を有効にセットしてもよい。
【０１３４】
（ユーザ端末）
図６は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０１３５】
なお、本例では、本実施の形態における特徴部分の機能ブロックを主に示しており、ユーザ端末２０は、無線通信に必要な他の機能ブロックも有すると想定されてもよい。以下で説明する各部の処理の一部は、省略されてもよい。
【０１３６】
制御部２１０は、ユーザ端末２０全体の制御を実施する。制御部２１０は、本開示に係る技術分野での共通認識に基づいて説明されるコントローラ、制御回路などから構成することができる。
【０１３７】
制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０１３８】
送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０１３９】
送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０１４０】
送受信アンテナ２３０は、本開示に係る技術分野での共通認識に基づいて説明されるアンテナ、例えばアレイアンテナなどから構成することができる。
【０１４１】
送受信部２２０は、上述の下りリンクチャネル、同期信号、下りリンク参照信号などを受信してもよい。送受信部２２０は、上述の上りリンクチャネル、上りリンク参照信号などを送信してもよい。
【０１４２】
送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０１４３】
送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０１４４】
送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０１４５】
なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０１４６】
送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０１４７】
一方、送受信部２２０（ＲＦ部２２２）は、送受信アンテナ２３０によって受信された無線周波数帯の信号に対して、増幅、フィルタ処理、ベースバンド信号への復調などを行ってもよい。
【０１４８】
送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１４９】
送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０１５０】
なお、本開示におけるユーザ端末２０の送信部及び受信部は、送受信部２２０及び送受信アンテナ２３０の少なくとも１つによって構成されてもよい。
【０１５１】
また、送受信部２２０は、参照信号（例えば、ＤＬ−ＲＳ、ＳＳＢ、ＣＳＩ−ＲＳ、ＴＲＳ、ＰＤＣＣＨ  ＤＭＲＳ、ＰＤＳＣＨ  ＤＭＲＳなど）を受信してもよい。
【０１５２】
送受信部２２０は、第１セル（スケジューリングセル）においてクロスキャリアスケジューリング用の第１下り制御チャネル（ＰＤＣＣＨ）をモニタしてもよい。前記第１下り制御チャネル内の下り制御情報（ＤＣＩ）によって第２セル（スケジュールドセル）の下り共有チャネル（ＰＤＳＣＨ）がスケジュールされてもよい。制御部２１０は、前記第２セルが前記第１セルと異なる場合、送信制御指示（ＴＣＩ）フィールドが前記下り制御情報内に存在するか否かを示すＴＣＩフィールド情報（例えば、tci-PresentInDci）が有効（'enabled'）にセットされると想定してもよい。
【０１５３】
前記第２セルが前記第１セルと異なり、且つ前記第１下り制御チャネルに関する１以上のＴＣＩ状態が擬似コロケーション（ＱＣＬ）タイプＤパラメータの情報（例えば、'QCL-TypeD'）を含む場合、前記制御部２１０は、前記第１下り制御チャネルの受信と前記下り共有チャネルとの間のオフセット（例えば、スケジューリングオフセット）がオフセット閾値（例えば、スケジューリングオフセット閾値）以上であると想定してもよい。
【０１５４】
前記第２セルが前記第１セルと同じである場合、前記制御部２１０は、前記下り共有チャネルの復調参照信号（ＤＭＲＳ）ポートが、前記第１セルの特定コントロールリソースセット（特定ＣＯＲＥＳＥＴ）の下り制御チャネル擬似コロケーション（ＱＣＬ）指示に用いられたＴＣＩ状態内の参照信号（ＲＳ）と擬似コロケートされると想定してもよい。
【０１５５】
例えば、特定ＣＯＲＥＳＥＴは、サービングセル（第１セル）のアクティブＢＷＰ内の１以上のＣＯＲＥＳＥＴがＵＥ（ユーザ端末２０）によってモニタされる最新のスロット内の最小のＣＯＲＥＳＥＴ−ＩＤを有し且つモニタされるサーチスペースに関連付けられたＣＯＲＥＳＥＴであってもよい。
【０１５６】
前記第２セルが前記第１セルと同じである、又は同じバンド（例えば、inter-band  CA）内の異なるセルである場合、前記制御部２１０は、前記下り共有チャネルの復調参照信号ポートが、前記第１セルの特定コントロールリソースセットの下り制御チャネル擬似コロケーション（ＱＣＬ）指示に用いられたＱＣＬタイプＤパラメータに関するＴＣＩ状態内の参照信号と擬似コロケートされると想定してもよい。
【０１５７】
前記第２セルが前記第１セルと同じである場合、前記制御部２１０は、前記下り共有チャネルの復調参照信号ポートが、前記下り制御チャネルの擬似コロケーション（ＱＣＬ）指示に用いられたＴＣＩ状態内の参照信号と擬似コロケートされると想定してもよい。
【０１５８】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１５９】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０１６０】
例えば、本開示の一実施形態における基地局、ユーザ端末などは、本開示の無線通信方法の処理を行うコンピュータとして機能してもよい。図７は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１６１】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０１６２】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１６３】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１６４】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（Central  Processing  Unit（ＣＰＵ））によって構成されてもよい。例えば、上述の制御部１１０（２１０）、送受信部１２０（２２０）などの少なくとも一部は、プロセッサ１００１によって実現されてもよい。
【０１６５】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０１６６】
メモリ１００２は、コンピュータ読み取り可能な記録媒体であり、例えば、Read  Only  Memory（ＲＯＭ）、Erasable  Programmable  ROM（ＥＰＲＯＭ）、Electrically  EPROM（ＥＥＰＲＯＭ）、Random  Access  Memory（ＲＡＭ）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１６７】
ストレージ１００３は、コンピュータ読み取り可能な記録媒体であり、例えば、フレキシブルディスク、フロッピー（登録商標）ディスク、光磁気ディスク（例えば、コンパクトディスク（Compact  Disc  ROM（ＣＤ−ＲＯＭ）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１６８】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（Frequency  Division  Duplex（ＦＤＤ））及び時分割複信（Time  Division  Duplex（ＴＤＤ））の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０１６９】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、Light  Emitting  Diode（ＬＥＤ）ランプなど）である。なお、入力装置１００５及び出力装置１００６は、一体となった構成（例えば、タッチパネル）であってもよい。
【０１７０】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１７１】
また、基地局１０及びユーザ端末２０は、マイクロプロセッサ、デジタル信号プロセッサ（Digital  Signal  Processor（ＤＳＰ））、Application  Specific  Integrated  Circuit（ＡＳＩＣ）、Programmable  Logic  Device（ＰＬＤ）、Field  Programmable  Gate  Array（ＦＰＧＡ）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１７２】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号（reference  signal）は、ＲＳと略称することもでき、適用される標準によってパイロット（Pilot）、パイロット信号などと呼ばれてもよい。また、コンポーネントキャリア（Component  Carrier（ＣＣ））は、セル、周波数キャリア、キャリア周波数などと呼ばれてもよい。
【０１７３】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０１７４】
ここで、ニューメロロジーは、ある信号又はチャネルの送信及び受信の少なくとも一方に適用される通信パラメータであってもよい。ニューメロロジーは、例えば、サブキャリア間隔（SubCarrier  Spacing（ＳＣＳ））、帯域幅、シンボル長、サイクリックプレフィックス長、送信時間間隔（Transmission  Time  Interval（ＴＴＩ））、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１７５】
スロットは、時間領域において１つ又は複数のシンボル（Orthogonal  Frequency  Division  Multiplexing（ＯＦＤＭ）シンボル、Single  Carrier  Frequency  Division  Multiple  Access（ＳＣ−ＦＤＭＡ）シンボルなど）によって構成されてもよい。また、スロットは、ニューメロロジーに基づく時間単位であってもよい。
【０１７６】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０１７７】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０１７８】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１７９】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１８０】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１８１】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１８２】
１ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１８３】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１８４】
リソースブロック（Resource  Block（ＲＢ））は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１８５】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０１８６】
なお、１つ又は複数のＲＢは、物理リソースブロック（Physical  RB（ＰＲＢ））、サブキャリアグループ（Sub-Carrier  Group（ＳＣＧ））、リソースエレメントグループ（Resource  Element  Group（ＲＥＧ））、ＰＲＢペア、ＲＢペアなどと呼ばれてもよい。
【０１８７】
また、リソースブロックは、１つ又は複数のリソースエレメント（Resource  Element（ＲＥ））によって構成されてもよい。例えば、１ＲＥは、１サブキャリア及び１シンボルの無線リソース領域であってもよい。
【０１８８】
帯域幅部分（Bandwidth  Part（ＢＷＰ））（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１８９】
ＢＷＰには、ＵＬ  ＢＷＰ（ＵＬ用のＢＷＰ）と、ＤＬ  ＢＷＰ（ＤＬ用のＢＷＰ）とが含まれてもよい。ＵＥに対して、１キャリア内に１つ又は複数のＢＷＰが設定されてもよい。
【０１９０】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１９１】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（Cyclic  Prefix（ＣＰ））長などの構成は、様々に変更することができる。
【０１９２】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１９３】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０１９４】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１９５】
また、情報、信号などは、上位レイヤから下位レイヤ及び下位レイヤから上位レイヤの少なくとも一方へ出力され得る。情報、信号などは、複数のネットワークノードを介して入出力されてもよい。
【０１９６】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０１９７】
情報の通知は、本開示において説明した態様／実施形態に限られず、他の方法を用いて行われてもよい。例えば、本開示における情報の通知は、物理レイヤシグナリング（例えば、下り制御情報（Downlink  Control  Information（ＤＣＩ））、上り制御情報（Uplink  Control  Information（ＵＣＩ）））、上位レイヤシグナリング（例えば、Radio  Resource  Control（ＲＲＣ）シグナリング、ブロードキャスト情報（マスタ情報ブロック（Master  Information  Block（ＭＩＢ））、システム情報ブロック（System  Information  Block（ＳＩＢ））など）、Medium  Access  Control（ＭＡＣ）シグナリング）、その他の信号又はこれらの組み合わせによって実施されてもよい。
【０１９８】
なお、物理レイヤシグナリングは、Layer  1／Layer  2（Ｌ１／Ｌ２）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  Control  Element（ＣＥ））を用いて通知されてもよい。
【０１９９】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２００】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２０１】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２０２】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（Digital  Subscriber  Line（ＤＳＬ））など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２０３】
本開示において使用する「システム」及び「ネットワーク」という用語は、互換的に使用され得る。「ネットワーク」は、ネットワークに含まれる装置（例えば、基地局）のことを意味してもよい。
【０２０４】
本開示において、「プリコーディング」、「プリコーダ」、「ウェイト（プリコーディングウェイト）」、「擬似コロケーション（Quasi-Co-Location（ＱＣＬ））」、「Transmission  Configuration  Indication  state（ＴＣＩ状態）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０２０５】
本開示においては、「基地局（Base  Station（ＢＳ））」、「無線基地局」、「固定局（fixed  station）」、「ＮｏｄｅＢ」、「ｅＮＢ（ｅＮｏｄｅＢ）」、「ｇＮＢ（ｇＮｏｄｅＢ）」、「アクセスポイント（access  point）」、「送信ポイント（Transmission  Point（ＴＰ））」、「受信ポイント（Reception  Point（ＲＰ））」、「送受信ポイント（Transmission/Reception  Point（ＴＲＰ））」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２０６】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（Remote  Radio  Head（ＲＲＨ）））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２０７】
本開示においては、「移動局（Mobile  Station（ＭＳ））」、「ユーザ端末（user  terminal）」、「ユーザ装置（User  Equipment（ＵＥ））」、「端末」などの用語は、互換的に使用され得る。
【０２０８】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２０９】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのInternet  of  Things（ＩｏＴ）機器であってもよい。
【０２１０】
また、本開示における基地局は、ユーザ端末で読み替えてもよい。例えば、基地局及びユーザ端末間の通信を、複数のユーザ端末間の通信（例えば、Device-to-Device（Ｄ２Ｄ）、Vehicle-to-Everything（Ｖ２Ｘ）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２１１】
同様に、本開示におけるユーザ端末は、基地局で読み替えてもよい。この場合、上述のユーザ端末２０が有する機能を基地局１０が有する構成としてもよい。
【０２１２】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、Mobility  Management  Entity（ＭＭＥ）、Serving-Gateway（Ｓ−ＧＷ）などが考えられるが、これらに限られない）又はこれらの組み合わせによって行われ得ることは明らかである。
【０２１３】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２１４】
本開示において説明した各態様／実施形態は、Long  Term  Evolution（ＬＴＥ）、LTE-Advanced（ＬＴＥ−Ａ）、LTE-Beyond（ＬＴＥ−Ｂ）、ＳＵＰＥＲ  ３Ｇ、ＩＭＴ−Ａｄｖａｎｃｅｄ、4th  generation  mobile  communication  system（４Ｇ）、5th  generation  mobile  communication  system（５Ｇ）、Future  Radio  Access（ＦＲＡ）、Ｎｅｗ−Radio  Access  Technology（ＲＡＴ）、New  Radio（ＮＲ）、New  radio  access（ＮＸ）、Future  generation  radio  access（ＦＸ）、Global  System  for  Mobile  communications（ＧＳＭ（登録商標））、ＣＤＭＡ２０００、Ultra  Mobile  Broadband（ＵＭＢ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、Ultra-WideBand（ＵＷＢ）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２１５】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２１６】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２１７】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２１８】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２１９】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２２０】
また、「判断（決定）」は、「想定する（assuming）」、「期待する（expecting）」、「みなす（considering）」などで読み替えられてもよい。
【０２２１】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２２２】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２２３】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２２４】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２２５】
本開示において、例えば、英語でのa,  an及びtheのように、翻訳によって冠詞が追加された場合、本開示は、これらの冠詞の後に続く名詞が複数形であることを含んでもよい。
【０２２６】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020170450.tif 000003
【図２】
2020170450.tif 000004
【図３】
2020170450.tif 000005
【図４】
2020170450.tif 000006
【図５】
2020170450.tif 000007
【図６】
2020170450.tif 000008
【図７】
2020170450.tif 000009
【国際調査報告】
2020170450.tif 000010
2020170450.tif 000011
2020170450.tif 000012